(57)【要約】【課題】ベビーベッドを１つの部分を動かすだけで折り畳めるようにする【解決手段】上記目的を達成するため、本発明の折畳式ベビーベッド９は、中間部ｍから内側に屈曲可能な一対の短辺側壁２０と、該屈曲に連動して相互に接近可能な一対の長辺側壁１０と、一方の長辺側壁１０に相対移動可能に連結された床板３０と、床板３０の相対移動と短辺側壁２０の屈曲とを連動させる連動機構４０とを含み構成されている。床板３０は、基端３０ａ側の一辺が長辺側壁４０の下部に回動及び上下へスライド可能に連結され、連動機構４０は、該床板３０が該回動により起立した後、該スライドにより下方へ降下するのに連動して両短辺側壁２０を屈曲させる。【選択図】図３
2007105187.tif 000002
【特許請求の範囲】
【請求項１】
中間部から内側に屈曲可能な一対の短辺側壁と、該屈曲と連動して相互に接近可能な一対の長辺側壁と、一方の前記長辺側壁に相対移動可能に連結された底板と、前記底板の相対移動と前記短辺側壁の屈曲又は前記長辺側壁の接近とを連動させる連動機構とを含み構成された折畳式ベビーベッド。
【請求項２】
前記底板は、基端側の一辺が前記長辺側壁の下部に回動及び上下へスライド可能に連結され、該基端を中心に起立可能及び昇降可能で、前記連動機構は、前記底板の降下と両短辺側壁の屈曲とを連動させる請求項１記載の折畳式ベビーベッド。
【請求項３】
前記連動機構は、前記底板の基端に接続され該底板の昇降に連動して昇降する昇降部材と、該昇降部材と両短辺側壁とを連結した連結部材とからなり、前記連結部材は、前記昇降部材が降下するのに連動して両短辺側壁を該昇降部材側に引き寄せる請求項２記載の折畳式ベビーベッド。
【請求項４】
前記底板は、基端側の一辺が前記長辺側壁の下部に回動可能に連結され該基端を中心に起立可能で、前記連動機構は、前記底板の起立と両長辺側壁の接近とを連動させる請求項１記載の折畳式ベビーベッド。
【請求項５】
前記連動機構は、前記底板の下方で両長辺側壁に連結され中間部から上方に屈曲可能な折畳部材と、該折畳部材と前記底板とを連結した介在部材とからなり、前記折畳部材は、前記底板が起立するのに連動して屈曲し両長辺側壁を相互に引き寄せるととともに両長辺側壁の間に挟み込まれる請求項４記載の折畳式ベビーベッド。
【発明の詳細な説明】
【技術分野】
【０００１】
本発明は、折畳式のベビーベッドに関するものである。
【背景技術】
【０００２】
この種のベビーベッドの中には、従来例の図１５〜１７に示すベビーベッド１００のように、一対の長辺側壁１０１と、両長辺側壁１０１を相互に接近させると中間部ｍから内側に屈曲し、両長辺側壁１０１の間に挟み込まれる一対の短辺側壁１０２と、基端部が一方の長辺側壁１０１の下部に回動可能に連結され、該基端部を中心に起立可能な床板１０３とからなるものがある（特許文献１）。
【特許文献１】特開平９−９８８５３公報
【発明の開示】
【発明が解決しようとする課題】
【０００３】
このベビーベッド１００の折り畳み作業は、まず、図１６に示すように床板１０３を起立させ、次に、図１７に示すように両長辺側壁１０１を相互に接近させ、その相互間に両短辺側壁１０２を屈曲させ挟み込むといった手順で行っていた。そのため、床板１０３と長辺側壁１０１との２つを順に動かす必要があり、作業が面倒であった。
【０００４】
そこで、ベビーベッドを１つの部分を動かすだけで折り畳めるようにすることを目的とする。
【課題を解決するための手段】
【０００５】
上記目的を達成するため、本発明の折畳式ベビーベッドは、中間部から内側に屈曲可能な一対の短辺側壁と、該屈曲と連動して相互に接近可能な一対の長辺側壁と、一方の前記長辺側壁に相対移動可能に連結された底板と、前記底板の相対移動と前記短辺側壁の屈曲又は前記長辺側壁の接近とを連動させる連動機構とを含み構成されている。但し、前記短辺側壁と長辺側壁との連動は、前記短辺側壁の屈曲に伴い前記長辺側壁が接近してもよいし、前記長辺側壁の接近に伴い前記短辺側壁が屈曲してもよい。また、前記底板とは、マット等を敷くための床板等のことであってもよいし、床板の下に設けられた物置き用の板等のことであってもよい。
【０００６】
前記底板と前記長辺側壁との連結、及び前記連動機構による前記底板と前記短辺側壁又は前記長辺側壁との連動は、特に限定されないが、次の（ア）（イ）の形態を例示する。
（ア）前記底板は、基端側の一辺が前記長辺側壁の下部に回動及び上下へスライド可能に連結され、該基端を中心に起立可能及び昇降可能で、前記連動機構は、前記底板の降下と両短辺側壁の屈曲とを連動させる形態。ここで、前記連動機構は、特に限定されないが、前記底板の基端に接続され該底板の昇降に連動して昇降する昇降部材と、該昇降部材と両短辺側壁とを連結した連結部材とからなり、前記連結部材は、前記昇降部材が降下するのに連動して両短辺側壁を該昇降部材側に引き寄せることが好ましい。
【０００７】
（イ）前記底板は、基端側の一辺が前記長辺側壁の下部に回動可能に連結され該基端を中心に起立可能で、前記連動機構は、前記底板の起立と両長辺側壁の接近とを連動させる形態。ここで、前記連動機構は、特に限定されないが、前記底板の下方で両長辺側壁に連結され中間部から上方に屈曲可能な折畳部材と、該折畳部材と前記底板とを連結した介在部材とからなり、前記折畳部材は、前記底板が起立するのに連動して屈曲し両長辺側壁を相互に引き寄せるととともに両長辺側壁の間に挟み込まれることが好ましい。
【発明の効果】
【０００８】
本発明によれば、連動機構があるため、底板の移動に連動して両短辺側壁を屈曲させ且つ両長辺側壁を相互に接近させることができる。そのため、底板を動かすだけでベビーベッドを折り畳むことができる。
【発明を実施するための最良の形態】
【０００９】
本発明の折畳式ベビーベッド９は、中間部ｍから内側に屈曲可能な一対の短辺側壁２０と、該屈曲と連動して相互に接近可能な一対の長辺側壁１０と、基端３０ａ側の一辺が長辺側壁１０ａの下部に回動及び上下へスライド可能に連結され、該基端３０ａを中心に起立可能及び昇降可能な床板３０と、該床板３０の降下と両短辺側壁２０の屈曲とを連動させる連動機構４０とを含み構成されている。この連動機構４０は、床板３０の基端３０ａに接続され該床板３０の昇降に連動して昇降する昇降部材４１と、該昇降部材４１と両短辺側壁２０とを連結した連結部材４６とからなり、連結部材４６は、昇降部材４１が降下するのに連動して両短辺側壁２０を該昇降部材４１側に引き寄せる。
【実施例１】
【００１０】
本実施例１の図１〜６に示す折畳式のベビーベッド９は、乳児が横になるマット等を敷くための床板３０、該乳児がベッドから落ちるのを防止するための囲いを構成する一対の長辺側壁１０及び一対の短辺側壁２０、並びに該ベッドを折り畳む際及び広げる際に床板３０と短辺側壁２０との動きを連動させる連動機構４０を含み構成されている。
【００１１】
長辺側壁１０は、短辺側壁２０の動きと連動して相互に接近可能な一対の柵であって、ベビーベッド９を折り畳む際に動かずベースとなるベース側の長辺側壁１０ａと、該長辺側壁１０ａにスライドして接近するスライド側の長辺側壁１０ｂとからなる。詳しくは、各長辺側壁１０は、その辺長方向の両端に位置する支柱１１と、両支柱１１間を跨ぐ上下２本の横フレーム１６と、両横フレーム１６の間に架けられた複数本の縦桟１９とから構成されている。支柱１１は、ベース側とスライド側とで相違し、ベース側の支柱１１ａは、ベビーベッド９が折り畳まれた際に床板３０及び連動機構４０を収納するための収納スペースｒを両長辺側壁１０ａ，１０ｂの相互間に確保できるように、短辺側壁２０の辺長方向へ広がった板状になっているのに対し、スライド側の支柱１１ｂは棒状になっている。そして、これら各支柱１１の下端には、移動用のキャスタ１３が取り付けられている。また、ベース側の支柱１１ａの下部には、床板３０の基端３０ａを回動及び上下へスライド可能に支持するための上下に細長く延びるスリット溝１２が設けられている。また、スライド側の長辺側壁１０ｂにおける下側の横フレーム１６には、ベビーベッド９が広げられた際に床板３０を下方から支持する床板受具１７が取り付けられている。
【００１２】
短辺側壁２０は、その辺長方向における中間部ｍから内側に屈曲可能な一対の柵であって、該中間部ｍで２つに分けられその両側が回動可能に連結され、且つ辺長方向における両端が両長辺側壁１０の各端にそれぞれ回動可能に連結されている。詳しくは、各短辺側壁２０は、その辺長方向の両端と中間部ｍの両側とにそれぞれ配された計４本の縦フレーム２１と、中間部ｍに対し同じ方向側に位置する２本の縦フレーム２１どうしを上下でそれぞれ繋いだ計４本の横フレーム２６と、該横フレーム２６間に架けられた複数本の縦桟２９とから構成されている。そして、中間部ｍの両側に配された２本の縦フレーム２１どうし、及び両端の縦フレーム２１と両長辺側壁１０の支柱１１とは、蝶番２４によって回動可能に連結されている。また、下側の横フレーム２６の下部には、ベビーベッド９が広げられた際に床板３０を下方から支持する床板受具２７、及び連動機構４０を接続するための連動機構接続具２８が取着されている。この連動機構接続具２８は、該横フレーム２６に側方から嵌合するコの字型の形状をしており、ボルトとナットで該横フレーム２６に固定されている。
【００１３】
床板３０は、基端３０ａ側の一辺がベース側の長辺側壁１０ａの下部に回動及び上下へスライド可能に連結され、該基端３０ａを中心に起立可能、及び昇降可能となっている。詳しくは、該床板３０の基端３０ａの両端には、軸棒３２ｘを備えた軸着部材３２が取り付けられ、該軸棒３２ｘが、スリット溝１２に回動及びスライド可能に支持されている。なお、このとき、同時に、該軸棒３２ｘが、後述する結合部材４２の軸孔４２ｘを挿通することにより、該床板３０は、連動機構４０の昇降部材４１に回動可能に連結される。この床板３０は、長方形の平面形状をしており、その下面には、強度を保つための床枠３１が取り付けられ、先端３０ｂの上面には、該床板３０を動かす際に手で引っ張るための取っ手３３が取り付けられている。この取っ手３３は、ひも状の部材であって、リング状に形成されている。
【００１４】
連動機構４０は、床板３０の降下と両短辺側壁２０の屈曲、及び床板３０の上昇と両短辺側壁２０の伸展とを連動させる機構であって、床板３０の基端３０ａに接続され該床板３０の昇降に連動して昇降する昇降部材４１と、該昇降部材４１を両短辺側壁２０に連結した連結部材４６とからなる。詳しくは、該連動機構４０は、床板３０が回動により起立した後、下方へのスライドにより降下するのに連動して両短辺側壁２０を屈曲させる。また、起立している床板３０が、上方へのスライドにより上昇するのに連動して両短辺側壁２０を伸展させる。
【００１５】
昇降部材４１は、長辺側壁１０ａの下部に上下へスライド可能、且つ回動不能に連結されるとともに、床板３０の基端３０ａに回動可能、且つスライド不能に連結された部材である。よって、床板３０の回動に対しては連動しない一方、該床板３０の上下へのスライドに対しては連動して昇降する。この昇降部材４１は、棒状の部材であって、床板３０の基端３０ａの下方に配されている。詳しくは、該昇降部材４１は、床板３０の基端３０ａ側の一辺と略平行に細長く延び、その両端には、ベース側の支柱１１ａ及び床板３０に結合するための結合部材４２が取着されている。この結合部材４２には、床板３０に回動可能に結合するため軸孔４２ｘと、長辺側壁１０ａに対し回動するのを防止する回動防止棒４２ｐとが設けられている。詳しくは、軸孔４２ｘは、軸棒３２ｘが回動可能に挿通された孔であって、回転防止棒４２ｐは、スリット溝１２にスライド可能に取り付けられた棒状の突起である。また、昇降部材４１の両端付近には、連結部材４６を取り付けるための連結部材取付具４３が取着されている。
【００１６】
連結部材４６は、昇降部材４１が降下するのに連動して両短辺側壁２０を床板３０側に引き寄せて屈曲させ、上昇するのに連動して該屈曲した両短辺側壁２０を床板３０側から押し離して伸展させる部材であって、昇降部材４１と短辺側壁２０との双方に回動可能に連結され且つ２箇所で屈曲可能になっている。詳しくは、該連結部材４６は、細長く延びる板状の部材であって２本存在し、昇降部材４１の両端付近にそれぞれ軸着された基端部４６ａと、そこから各短辺側壁２０へ向かって延びる延出部４６ｂと、該延出部４６ｂの先端側に位置し各短辺側壁２０の下端に軸着された先端部４６ｃとから構成されている。そして、これら基端部４６ａと延出部４６ｂと先端部４６ｃとは切り離されており、その切り離された部分の両側が蝶番４７によって回動可能に連結されている。なお、このとき、該連結部材４６は、昇降部材４１とは、連結部材取付具４３を介し結合され、短辺側壁２０とは、連動機構接続具２８を介し結合されている。
【００１７】
以上に示したベビーベッド９を折り畳む際の様子を以下に説明する。
（１）まず、図２に示すように、取っ手３３を引っ張り、床板３０を基端３０ａを中心に回動させ、該床板３０を起立させる。なお、このとき、昇降部材４１は床板３０の回動には連動しないため動かない。
（２）次に、図３、図４に示すように、該床板３０を押し下げスリット溝１２に沿って下方へスライドさせる。このとき、昇降部材４１も床板３０に連動して降下し、連結部材４６を介し両短辺側壁２０が該昇降部材４１側へ引き寄せられる。そのため、両短辺側壁２０が中間部ｍから内側に屈曲するとともにスライド側の長辺側壁１０ｂがベース側の長辺側壁１０ａ側に引き寄せられ、両長辺側壁１０ａ、１０ｂ間に両短辺側壁２０が挟み込まれる。以上のようにして、ベビーベッド９の折り畳みが完了する。
【００１８】
次に、折り畳まれたベビーベッド９を広げて設置する際の様子を以下に説明する。
（１）まず、取っ手３３を引き上げ、床板３０をスリット溝１２に沿って上方へスライドさせる。このとき、昇降部材４１も床板３０に連動して上昇し、連結部材４６を介し両短辺側壁２０が昇降部材４１側から押し離される。そのため、屈曲していた両短辺側壁２０が伸ばされるとともにスライド側の長辺側壁１０ｂがベース側の長辺側壁１０ａから引き離されベビーベッド９の囲いが形成される。
（２）その後、床板３０を、基端３０ａを軸に回動させて倒せば、ベビーベッド９の設置が完了する。
【００１９】
本実施例１によれば、ベビーベッド９は、連動機構４０があるため、床板３０を起立させた後、スリット溝１２に沿って下方へスライドさせるだけで、短辺側壁２０及び長辺側壁１０を連動させて折り畳むことができる。また、逆に、ベビーベッド９を広げて設置する際には、床板３０をスリット溝１２に沿って上昇させるだけで短辺側壁２０及び長辺側壁１０を連動させて広げることができ、その後、床板３０を、基端３０ａを軸に回動させて倒せば該設置が完了する。そのため、該ベビーベッド９は、床板３０を動かすだけで、折り畳んだり設置したりすることができる。
【実施例２】
【００２０】
本実施例２の図７に示すベビーベッド４９は、実施例１のベビーベッド９と略同様に、長辺側壁５０、短辺側壁５５、床板５６、及び連動機構５８を含み構成されているが、ベース側の長辺側壁５０ａの構造が実施例１と相違する。
【００２１】
すなわち、該ベース側の長辺側壁５０ａは、実施例１と略同様に、支柱５１と横フレーム５３と縦桟５４とを含み構成されているが、支柱５１と横フレーム５３との間に、横フレーム５３が上下へスライドするのを許容するスライド機構５２が設けられている点で実施例１と相違している。
【００２２】
本実施例２によれば、スライド機構５２があるため、横フレーム５３及びそれに取着された縦桟５４を下げることが可能である。そのため、該横フレーム５３及び縦桟５４を下げれば、ベビーベッド４９を折り畳む際に身を乗り出しやすくなり、床板５６又はその取っ手５７に手を掛けやすくなる。
【実施例３】
【００２３】
本実施例３の図８〜１３に示す折畳式のベビーベッド５９は、実施例１のベビーベッド９と略同様に、長辺側壁６０と短辺側壁７０と床板８０と連動機構９０とを含み構成されているが、連動機構９０が、床板８０の起立と長辺側壁６０の接近とを連動させる点で実施例１と相違し、より具体的には、床板８０の形状、床板８０と長辺側壁６０との接続構造、及び連動機構９０の構造が相違する。以下に、その相違する点を中心に、該ベビーベッド５９の構造を説明する。
【００２４】
長辺側壁６０は、実施例１の長辺側壁１０と略同様に、ベース側の長辺側壁６０ａとスライド側の長辺側壁６０ｂとからなり、両長辺側壁６０ａ，６０ｂは、支柱６１と横フレーム６６と縦桟６９とから構成されているが、両横フレーム６６に、連動機構９０の構成要素である折畳部材９１の両端を軸着するための連動機構接続具６８が、囲いの内側へ向かって突出する形で取り付けられている点で相違している。また、支柱６１の下部には、実施例１のスリット溝１２の代わりに、床板８０の基端８０ａ側の一辺を軸着するための軸支溝６２が凹設されている点で相違している。一方、短辺側壁７０も、実施例１の短辺側壁２０と略同様に、縦フレーム７１と横フレーム７６と縦桟７９とから構成されているが、連動機構９０が連結されていない点で相違している。
【００２５】
床板８０は、基端８０ａがベース側の長辺側壁６０ａに回動可能に連結された板であって、詳しくは、基端８０ａの両側端に取り付けられた軸着部材８２の軸棒８２ｘが、支柱６１の軸支溝６２に軸着されている。この床板８０は、長方形の一部が切欠８０ｆによって切り欠かれた平面形状をしており、先端８０ｂの上面には該床板８０を起立される際に手で引っ張るための取っ手８３が取り付けられている。また、中央付近の下面には、連動機構９０の構成要素である２本の介在部材９６の先端を軸支するための接続部材８７が下方に向けて２箇所突出する形で取り付けられている。この床板８０は、短辺側壁７０との間に、床板８０の基端８０ａ側より先端８０ｂ側で大きく設定された隙間ｇが形成されており、該隙間ｇは、連動機構９０の後述する不感機構Ｉと協働して、該床板８０と短辺側壁７０とが相互に接触しないようにしている。詳しくは、該隙間ｇは、床板８０の基端８０ａ側から先端８０ｂ側へ架けて等しく確保された隙間と、切欠８０ｆによって形成された隙間とから構成されており、該切欠８０ｆは、床板８０の両側端の中間部から先端８０ｂへ向かうに従って徐々に大きく形成されている。
【００２６】
連動機構９０は、床板８０の起立に連動して長辺側壁６０を接近させる機構であって、床板８０の下方で両長辺側壁６０に連結され中間部ｎから上方へ屈曲可能な折畳部材９１と、該折畳部材９１を床板８０に連結した介在部材９６とからなる。
【００２７】
折畳部材９１は、床板８０が起立するのに連動して屈曲し、両長辺側壁６０を引き寄せ相互に接近させるととともに両長辺側壁６０の間に挟み込まれる部材であって、基端側の一辺がベース側の長辺側壁６０ａに回動可能に連結された後板９１ａと、基端側の一辺が後板９１ａの先端側の一辺に回動可能に連結され且つ先端側の一辺がスライド側の長辺側壁６０ｂに回動可能に連結された先板９１ｂとからなる。詳しくは、該折畳部材９１と両長辺側壁６０とは、両横フレーム６６の連動機構接続具６８に該折畳部材９１の両端が側方から軸着されることにより連結されている。また、後板９１ａと先板９１ｂとは、後板９１ａの先端に突出形成された接続突起９２に先板９１ｂの基端が側方から軸着されることにより連結されている。なお、この後板９１ａと先板９１ｂとの境目は、折畳部材９１の中間部ｎを構成している。
【００２８】
介在部材９６は、床板８０が起立するのに連動して後板９１ａを引き寄せ起立させる細長く延びるプレート状の部材であり、基端９６ａは後板９１ａの基端付近に側方から軸着されており、先端９６ｂは床板８０の接続部材８７に該介在部材９６の長さ方向へスライド可能に軸着されている。このとき、該介在部材９６の長さ及び両端の該軸着される位置は、床板８０を完全に起立させた時点で、それに連動して後板９１ａが略完全に起立するように設定されている。また、この先端９６ｂと接続部材８７との連結部分は、折畳部材９１の屈曲の開始を床板８０の起立の開始に対して遅らせる不感機構Ｉを構成しており、該不感機構Ｉは、前述のように、隙間ｇと協働して床板８０と短辺側壁２０とが相互に接触しないようにしている。詳しくは、該不感機構Ｉは、床板８０の接続部材８７が備える接続軸８７ｘと、介在部材９６にその長さ方向へ長く貫設され接続軸８７ｘが挿入された長孔９７とからなり、接続軸８７ｘが長孔９７をスライドする間は床板８０と折畳部材９１との連動を不感にする一方、接続軸８７ｘが長孔９７の端に当接しスライドしなくなると床板８０と折畳部材９１との連動を開始するようになっている。そして、ここでは、該連動の開始時点が、床板８０が４５〜６５度まで起立した時点となるように設定されている。
【００２９】
以上に示したベビーベッド５９を折り畳む際の様子を以下に説明する。
（１）図９に示すように、取っ手８３を引っ張り、床板８０を基端８０ａを中心に回動させ起立させていく。すると、このとき、該床板８０に連結された介在部材９６は、これに連動して基端９６ａを軸に回動し起立していく。この間に、不感機構Ｉの接続軸８７ｘが、長孔９７の孔内を基端９６ａ側の端から先端９６ｂ側へ向けてへスライドしていく。そして、床板８０が４５〜６５度まで起立した時点で、接続軸８７ｘは長孔９７の先端９６ｂ側の端にまで達しこれに当接する。なお、このとき、該不感機構Ｉがあるため、床板８０の該動作は折畳部材９１には伝えられず、該折畳部材９１は、床板８０が起立していっても静止し続ける。
（２）その後、図１０、図１１に示すように、更に回動させ床板８０を完全に起立させる。すると、このときは、該接続軸８７ｘの端が長孔９７の端に当接しているため床板８０の動作は介在部材９６を介し折畳部材９１に伝えられ、該床板８０の起立に連動して該折畳部材９１が中間部ｎから上方へ屈曲していく。これに伴い、スライド側の長辺側壁６０ｂがベース側の長辺側壁６０ａ側に引き寄せられ、両短辺側壁７０が中間部ｍから内側に屈曲し、接近する両長辺側壁６０ａ，６０ｂの相互間に、両短辺側壁７０、床板８０、及び折畳部材９１が挟み込まれていく。そして、床板８０を９０度回動させ地面と垂直になるまで起立させた時点で、これら両短辺側壁７０、床板８０、及び折畳部材９１は、両長辺側壁６０の相互間に完全に挟み込まれ、ベビーベッド９の折り畳みが完了する。
【００３０】
なお、該ベビーベッド５９を広げて設置する際には、床板８０を基端８０ａを中心に回動させて倒せば、該床板８０の先端８０ｂが屈曲している短辺側壁７０に当接しこれを押圧するため、該床板８０が倒れるのに連動して、屈曲していた両短辺側壁７０が伸ばされ、それとともにスライド側の長辺側壁６０ｂもベース側の長辺側壁６０ａから引き離され、該ベッドの設置が完了する。
【００３１】
本実施例３によれば、ベビーベッド５９は、連動機構９０があるため、床板８０を起立させれば、それに連動して両長辺側壁６０を相互に接近させ、その相互間に両短辺側壁７０を挟み込むことができる。また、逆に広げて設置する際も、上記のように床板８０を倒すのみでよい。そのため、該ベビーベッド５９は、一つの動作だけで、折り畳み及び設置の作業を完了させることができる。
【００３２】
また、ベビーベッド５９は、連動の開始が遅れる仕組みであることによって、隙間ｇが極力小さいもので済まされている。その詳細を以下に説明する。床板８０と各短辺側壁７０との間には、短辺側壁７０が内側に屈曲した際にも床板８０に接触しないように、隙間ｇを確保しておく必要があるが、該隙間ｇの大きさは、短辺側壁７０の内側から床板８０が起立に伴い退去するまでに、短辺側壁７０が床板８０側方向へ屈曲するストローク分だけ必要となる。そのため、短辺側壁７０の屈曲の開始を床板８０の退去の開始に対して遅らせることにより、床板８０を先に退去させ上記効果を得たものである。
【００３３】
また、隙間ｇは、床板８０の基端８０ａ側より先端８０ｂ側で大きく設定されていることによっても、余分なものが減り総合的な大きさが小さくなっている。なぜなら、床板８０は、上方からの平面視では、起立に伴い先に基端８０ａ側から退去していくため、基端８０ａ側には短辺側壁７０との間にあまり大きな隙間を必要としない一方、先端８０ｂ側にはそれより大きな隙間を必要とするからである。そして、このように、隙間ｇは極力小さく形成されており、且つ実際に乳児を寝かせる際には、床板８０の上にマット等を敷くため、この隙間ｇに乳児が落ちる心配はない。
【００３４】
なお、本発明は前記実施例に限定されるものではなく、発明の趣旨から逸脱しない範囲で適宜変更して具体化することもでき、例えば、床板の取っ手及びその周辺を、次の変更例１〜３のように変更することもできる。
【００３５】
（変更例１）
図１４（ａ）に示す変更例１は、実施例１と略同様であるが、取っ手３３の変わりに、基端３４ａが床板３０に回動可能に取着された折畳式の取っ手３４が取着されている。
（変更例２）
図１４（ｂ）に示す変更例２は、実施例２と略同様であるが、取っ手５７は存在せず、変わりに、床板５６の先端に隣接する横フレーム５３の略中央付近の上部に、床板５６の下端より下方へ窪んだ切欠５３ｆが凹設されている。そのため、該切欠５３ｆから床板５６に手を掛け床板５６の先端を掴むことができる。
（変更例３）
図１４（ｃ）に示す変更例３は、変更例２と略同様であるが、床板５６に、手を掛け把持するための把持孔５６ｈが貫設されている点で相違している。
【図面の簡単な説明】
【００３６】
【図１】本発明の実施例１の折畳式ベビーベッドの使用状態を示す全体斜視図である。
【図２】同実施例の折畳式ベビーベッドを折り畳む際の様子を示す（ａ）は全体斜視図、（ｂ）は部分分解斜視図である。
【図３】同実施例の折畳式ベビーベッドを折り畳む際の様子を示す全体斜視図である。
【図４】同実施例の折畳式ベビーベッドを折り畳んだ際の様子を示す全体斜視図である。
【図５】同実施例の折畳式ベビーベッドの（ａ）は使用状態を示す、（ｂ）は折り畳んだ際の様子を示す上面断面図である。
【図６】同実施例の折畳式ベビーベッドの（ａ）は使用状態を示す、（ｂ）は折り畳んだ際の様子を示す側面断面図である。
【図７】実施例２の折畳式ベビーベッドを折り畳む際の様子を示す全体斜視図である。
【図８】本発明の実施例３の折畳式ベビーベッドの使用状態を示す全体斜視図である。
【図９】同実施例の折畳式ベビーベッドを折り畳む際の様子を示す全体斜視図である。
【図１０】同実施例の折畳式ベビーベッドを折り畳む際の様子を示す全体斜視図である。
【図１１】同実施例の折畳式ベビーベッドを折り畳んだ際の様子を示す全体斜視図である。
【図１２】同実施例の折畳式ベビーベッドの（ａ）は使用状態を示す、（ｂ）は折り畳んだ際の様子を示す上面断面図である。
【図１３】同実施例の折畳式ベビーベッドの（ａ）は使用状態を示す、（ｂ）は折り畳んだ際の様子を示す側面断面図である。
【図１４】変更例１〜３の折畳式ベビーベッドを示す部分斜視図である。
【図１５】従来例の折畳式ベビーベッドの使用状態を示す全体斜視図である。
【図１６】同従来例の折畳式ベビーベッドを折り畳む際の様子を示す全体斜視図である。
【図１７】同従来例の折畳式ベビーベッドを折り畳んだ際の様子を示す全体斜視図である。
【符号の説明】
【００３７】
９    折畳式ベビーベッド
１０    長辺側壁
２０    短辺側壁
３０    床板（底板）
３０ａ  床板の基端
４０    連動機構
４１    昇降部材
４６    連結部材
５９    折畳式ベビーベッド
６０    長辺側壁
７０    短辺側壁
８０    床板（底板）
８０ａ  床板の基端
９０    連動機構
９１    折畳部材
９６    介在部材
ｍ    短辺側壁の中間部
ｎ    折畳部材の中間部
【図１】
2007105187.tif 000003
【図２】
2007105187.tif 000004
【図３】
2007105187.tif 000005
【図４】
2007105187.tif 000006
【図５】
2007105187.tif 000007
【図６】
2007105187.tif 000008
【図７】
2007105187.tif 000009
【図８】
2007105187.tif 000010
【図９】
2007105187.tif 000011
【図１０】
2007105187.tif 000012
【図１１】
2007105187.tif 000013
【図１２】
2007105187.tif 000014
【図１３】
2007105187.tif 000015
【図１４】
2007105187.tif 000016
【図１５】
2007105187.tif 000017
【図１６】
2007105187.tif 000018
【図１７】
2007105187.tif 000019